(57)【特許請求の範囲】
【請求項１】
フープ状の定着ベルトと，
前記定着ベルトの外周面に接触してニップを形成する加圧部材と，
前記定着ベルトの内部に前記定着ベルトに対して非接触で配置され赤外線により熱を供給する非接触熱源とを有する定着装置において，
前記定着ベルトの内面の周方向における一部に接触するとともに前記非接触熱源に対して非接触で設けられた蓄熱部材と，
前記非接触熱源と前記蓄熱部材との間に設けられ，前記非接触熱源から前記蓄熱部材への供給熱量が多い熱供給状態と少ない遮熱状態とをとる熱供給調整部材とを有し，
前記定着ベルトの内面の周方向における少なくとも一部が，前記熱供給調整部材により遮られることなく前記非接触熱源と対面しているものであり，
前記熱供給調整部材は，
前記熱供給状態では，前記非接触熱源から前記蓄熱部材への赤外線の透過率が高く反射率は低い透明状態となり，
前記遮熱状態では，前記非接触熱源から前記蓄熱部材への赤外線の透過率が低く反射率は高い反射状態となる調光部材であることを特徴とする定着装置。
【請求項２】
フープ状の定着ベルトと，
前記定着ベルトの外周面に接触してニップを形成する加圧部材と，
前記定着ベルトの内部に前記定着ベルトに対して非接触で配置された非接触熱源とを有する定着装置において，
前記定着ベルトの内面の周方向における一部に接触するとともに前記非接触熱源に対して非接触で設けられた蓄熱部材と，
前記非接触熱源と前記蓄熱部材との間に設けられ，前記非接触熱源から前記蓄熱部材への供給熱量が多い熱供給状態と少ない遮熱状態とをとる熱供給調整部材とを有し，
前記定着ベルトの内面の周方向における少なくとも一部が，前記熱供給調整部材により遮られることなく前記非接触熱源と対面しており，
前記熱供給調整部材は，
前記蓄熱部材の一部を覆って固定して配置された基部と，
前記基部に対して揺動移動する揺動部とを有し，
前記揺動部は，
前記熱供給状態では，前記基部上に重なり，前記蓄熱部材のうち前記基部に覆われない残部を覆わず，第１面を前記非接触熱源に向けて配置され，
前記遮熱状態では，前記基部上に重ならず，前記蓄熱部材のうち前記残部を覆い，第１面の裏面の第２面を前記非接触熱源に向けて配置されるものであり，
前記基部の表面および前記揺動部の第２面が，前記揺動部の第１面および前記蓄熱部材のうち前記残部の表面よりも，前記非接触熱源からの熱の反射率が高い面であることを特徴とする定着装置。
【請求項３】
フープ状の定着ベルトと，
前記定着ベルトの外周面に接触してニップを形成する加圧部材と，
前記定着ベルトの内部に前記定着ベルトに対して非接触で配置された非接触熱源とを有する定着装置において，
前記定着ベルトの内面の周方向における一部に接触するとともに前記非接触熱源に対して非接触で設けられた蓄熱部材と，
前記非接触熱源と前記蓄熱部材との間に設けられ，前記非接触熱源から前記蓄熱部材への供給熱量が多い熱供給状態と少ない遮熱状態とをとる熱供給調整部材とを有し，
前記定着ベルトの内面の周方向における少なくとも一部が，前記熱供給調整部材により遮られることなく前記非接触熱源と対面しており，
前記熱供給調整部材は，
前記蓄熱部材の一部を覆って固定して配置された基部と，
前記基部に対して揺動移動する揺動部とを有し，
前記揺動部は，
前記遮熱状態では，前記基部上に重なり，前記蓄熱部材のうち前記基部に覆われない残部を覆わず，第１面を前記非接触熱源に向けて配置され，
前記熱供給状態では，前記基部上に重ならず，前記蓄熱部材のうち前記残部を覆い，第１面の裏面の第２面を前記非接触熱源に向けて配置されるものであり，
前記基部の表面および前記揺動部の第２面が，前記揺動部の第１面および前記蓄熱部材のうち前記残部の表面よりも，前記非接触熱源からの熱の吸収率が高い面であることを特徴とする定着装置。
【請求項４】
フープ状の定着ベルトと，
前記定着ベルトの外周面に接触してニップを形成する加圧部材と，
前記定着ベルトの内部に前記定着ベルトに対して非接触で配置された非接触熱源とを有する定着装置において，
前記定着ベルトの内面の周方向における一部に接触するとともに前記非接触熱源に対して非接触で設けられた蓄熱部材と，
前記非接触熱源と前記蓄熱部材との間に設けられ，前記非接触熱源から前記蓄熱部材への供給熱量が多い熱供給状態と少ない遮熱状態とをとる熱供給調整部材とを有し，
前記定着ベルトの内面の周方向における少なくとも一部が，前記熱供給調整部材により遮られることなく前記非接触熱源と対面しており，
前記熱供給調整部材に電気信号を印加する電気信号印加部を有し，
前記熱供給調整部材は，印加される電気信号の変化により，前記非接触熱源から前記蓄熱部材へ供給される熱の透過率が変化することにより，前記熱供給状態と前記遮熱状態とをとるものであることを特徴とする定着装置。
【請求項５】
請求項４に記載の定着装置において，
前記熱供給調整部材は，
前記熱供給状態では，前記非接触熱源から前記蓄熱部材へ供給される熱の透過率が高く反射率が低く，
前記遮熱状態では，前記非接触熱源から前記蓄熱部材へ供給される熱の透過率が低く反射率が高いものであり，
前記蓄熱部材の前記非接触熱源側の面は，前記遮熱状態での前記熱供給調整部材の前記非接触熱源側の面と比較して，前記非接触熱源から供給される熱の吸収率が高い面であることを特徴とする定着装置。
【請求項６】
請求項４に記載の定着装置において，
前記熱供給調整部材は，
前記熱供給状態では，前記非接触熱源から前記蓄熱部材へ供給される熱の透過率が低く吸収率が高く，
前記遮熱状態では，前記非接触熱源から前記蓄熱部材へ供給される熱の透過率が高く吸収率が低いものであり，
前記蓄熱部材の前記非接触熱源側の面は，前記熱供給状態での前記熱供給調整部材の前記非接触熱源側の面と比較して，前記非接触熱源から供給される熱の反射率が高い面であることを特徴とする定着装置。
【請求項７】
請求項１から６までのいずれか１つに記載の定着装置において，前記蓄熱部材は，
前記定着ベルトの内面を前記加圧部材に向けて押し付けるニップ形成部材を兼ねていることを特徴とする定着装置。
【請求項８】
フープ状の定着ベルトと，
前記定着ベルトの外周面に接触してニップを形成する加圧部材と，
前記定着ベルトの内部に前記定着ベルトに対して非接触で配置された非接触熱源とを有する定着装置において，
前記定着ベルトの内面の周方向における一部に接触するとともに前記非接触熱源に対して非接触で設けられた蓄熱部材と，
前記非接触熱源と前記蓄熱部材との間に設けられ，前記非接触熱源から前記蓄熱部材への供給熱量が多い熱供給状態と少ない遮熱状態とをとる熱供給調整部材と，
前記定着ベルトの内面に接触するとともに前記非接触熱源に対して非接触で設けられ，前記定着ベルトの内面の周方向における一部を前記加圧部材に向けて押し付ける，前記蓄熱部材とは別の部材であるニップ形成部材とを有し，
前記定着ベルトの内面の周方向における少なくとも一部が，前記熱供給調整部材により遮られることなく前記非接触熱源と対面していることを特徴とする定着装置。
【請求項９】
請求項８に記載の定着装置において，
前記ニップ形成部材の前記非接触熱源側の面は，前記熱供給調整部材が前記熱供給状態にあるときの前記蓄熱部材の前記非接触熱源側の面と比較して，前記非接触熱源から供給される熱の実質的な反射率が高い面であることを特徴とする定着装置。
【請求項１０】
請求項８または請求項９に記載の定着装置において，前記熱供給調整部材は，
前記定着ベルトの内部で移動して，前記非接触熱源から前記蓄熱部材への熱の供給を遮蔽する程度を変更することにより，前記熱供給状態と前記遮熱状態とをとるものであることを特徴とする定着装置。
【請求項１１】
請求項１０に記載の定着装置において，
前記熱供給調整部材の前記非接触熱源側の面は，前記蓄熱部材の前記非接触熱源側の面と比較して，前記非接触熱源から供給される熱の反射率が高い面であることを特徴とする定着装置。
【請求項１２】
トナー画像を形成する画像形成部と，
前記画像形成部で形成されたトナー像を記録用紙に転写する転写部と，
前記転写部を通過した記録用紙上のトナー像をその記録用紙に定着させる，請求項１から請求項１１までのいずれか１つに記載の定着装置と，
前記熱供給調整部材の状態を制御する熱供給制御部とを有することを特徴とする画像形成装置。
【請求項１３】
請求項１２に記載の画像形成装置において，前記熱供給制御部は，
印刷ジョブの枚数があらかじめ定めた基準枚数以上である場合に前記熱供給調整部材を前記熱供給状態とし，
前記熱供給調整部材を前記熱供給状態としない場合に前記熱供給調整部材を前記遮熱状態とするものであることを特徴とする画像形成装置。
【請求項１４】
請求項１２または請求項１３に記載の画像形成装置において，前記熱供給制御部は，
前記ニップに通される記録用紙の坪量があらかじめ定めた基準坪量以上である場合に前記熱供給調整部材を前記熱供給状態とし，
前記熱供給調整部材を前記熱供給状態としない場合に前記熱供給調整部材を前記遮熱状態とするものであることを特徴とする画像形成装置。
【請求項１５】
請求項１２から請求項１４までのいずれか１つに記載の画像形成装置において，前記熱供給制御部は，
通紙速度，環境要因の少なくとも一方が，あらかじめ定めた，単位時間当たりの前記定着ベルトから記録用紙への奪熱が多い条件に当てはまる場合に前記熱供給調整部材を前記熱供給状態とし，
前記熱供給調整部材を前記熱供給状態としない場合に前記熱供給調整部材を前記遮熱状態とするものであることを特徴とする画像形成装置。
【発明の詳細な説明】
【技術分野】
【０００１】
本発明は，トナーを用いて画像を形成する画像形成装置の定着部分に関する。さらに詳細には，熱容量低減の要求に応えつつ，例えば厚紙使用時のような必要熱量が多い状況にも対応できるようにした定着装置，およびそれを搭載した画像形成装置に関するものである。
【背景技術】
【０００２】
トナーを用いて画像を形成する画像形成装置では，トナー像の転写を受けた記録用紙を加熱することにより，トナー像を記録用紙に定着させることが行われる。このため，画像形成装置の定着装置は，２つの回転体を突き合わせたニップ部を有している。回転体を加熱した状態でこのニップ部に記録用紙を通すことで定着が行われる。この定着装置において近年の製品開発では，回転体等の熱容量を下げていく傾向にある。省エネルギーや，立ち上がり時間の短縮のためである。このため，回転体のうち一方として，ベルトが用いられることがある。ベルトは薄いので，ローラよりも熱容量が一般的に小さいからである。
【０００３】
しかしながら，回転体の熱容量が小さいことは，必ずしも良いことばかりではない。記録用紙による定着装置からの奪熱の影響が，熱容量が小さい分顕著に出てしまうからである。そのため，例えば厚紙使用時のように奪熱量が大きい状況では，定着温度の低下による定着不足が発生することがある。こうした問題に対する従来の対策として，例えば，特許文献１に記載された技術がある。同文献の技術では，定着ベルトに対して接触状態と離間状態との切り替えが可能な蓄熱部材を有している。そして，定着ベルトが過熱する状況では蓄熱部材を接触状態にして，蓄熱部材に熱エネルギーを蓄えるようにしている。そして，待機時等に蓄熱部材をヒータに接触させて，熱エネルギーの回収を図るようにしている。
【先行技術文献】
【特許文献】
【０００４】
【特許文献１】特開２０１２−０５８６４６号公報
【発明の概要】
【発明が解決しようとする課題】
【０００５】
しかしながら前記した特許文献１の技術では，装置の耐久性に難があった。前述の蓄熱部材のように，定着ベルトに対して接触，離間の切り替えがなされる部材を備えているからである。接触，離間の切り替えのため，定着ベルトや蓄熱部材の劣化が早期に進行してしまうのである。
【０００６】
必要熱量が多い状況に対応するというだけなら，単に定着温度を上げればよいように思われるかも知れない。しかしそれでは，省エネルギーの要請に反することはもちろん，別の問題が発生する。定着後の記録用紙のカール（湾曲変形）が激しくなることや，タッキング（排紙トレイ上で記録用紙同士が密着してしまうこと）の発生等である。また，印刷の途中で図１に示されるように定着温度が変化する。すなわち，図１中に一点鎖線の楕円で囲んで示している通紙実行中の辺りでは，通紙開始時よりも温度が下がっている。したがって，このことによる画像品質の不均一もあった。
【０００７】
本発明は，前記した従来の技術が有する問題点を解決するためになされたものである。すなわちその課題とするところは，熱容量が小さく，記録用紙を過熱させることなく，また定着ベルトに対する部材の接触，離間の切り替えを行うことなく，かつ必要熱量が多い状況に問題なく対応できるようにした定着装置，およびそれを搭載した画像形成装置を提供することにある。
【課題を解決するための手段】
【０００８】
本発明の一態様における定着装置は，フープ状の定着ベルトと，定着ベルトの外周面に接触してニップを形成する加圧部材と，定着ベルトの内部に定着ベルトに対して非接触で配置され赤外線により熱を供給する非接触熱源とを有し，さらに，定着ベルトの内面の周方向における一部に接触するとともに非接触熱源に対して非接触で設けられた蓄熱部材と，非接触熱源と蓄熱部材との間に設けられ，非接触熱源から蓄熱部材への供給熱量が多い熱供給状態と少ない遮熱状態とをとる熱供給調整部材とを有し，定着ベルトの内面の周方向における少なくとも一部が，熱供給調整部材により遮られることなく非接触熱源と対面しているものであり，熱供給調整部材は，熱供給状態では，非接触熱源から蓄熱部材への赤外線の透過率が高く反射率は低い透明状態となり，遮熱状態では，非接触熱源から蓄熱部材への赤外線の透過率が低く反射率は高い反射状態となる調光部材である。
【０００９】
上記態様における定着装置では，非接触熱源から供給される熱により定着ベルトが加熱され，さらに加圧部材も加熱される。その状態で，定着ベルトと加圧部材とのニップに記録用紙を通すことで定着が行われる。ここにおいて，熱供給調整部材の状態により，非接触熱源からの熱の供給状態が異なる。熱供給調整部材の状態には，遮熱状態と熱供給状態とがある。遮熱状態では，非接触熱源から蓄熱部材への供給熱量が少ない。このため，非接触熱源からの供給熱の大半は，直接に定着ベルトを加熱することになる。したがって，定着に適した温度までの昇温に要する時間が短い。一方，熱供給状態では，非接触熱源からの供給熱のうちある程度の量が，蓄熱部材へ直接供給される。このため，蓄熱部材に熱が蓄積された状態になる。したがって，記録用紙による熱の持ち去りが多い状況でもその影響をあまり受けない。これら２つの状態を使い分けることで，記録用紙を過熱することなく，適切に定着を行うことができる。また，熱供給調整部材は，定着ベルトに対して接触したり離間したりするものではないので，定着ベルトの劣化が少ない。
【００１０】
また，熱供給調整部材を，前述のものとする替わりに，蓄熱部材の一部を覆って固定して配置された基部と，基部に対して揺動移動する揺動部とを有するものとすることができる。この場合に揺動部は，熱供給状態では，基部上に重なり，蓄熱部材のうち基部に覆われない残部を覆わず，第１面を非接触熱源に向けて配置され，遮熱状態では，基部上に重ならず，蓄熱部材のうち残部を覆い，第１面の裏面の第２面を非接触熱源に向けて配置されるものである。そして，基部の表面および揺動部の第２面が，揺動部の第１面および蓄熱部材のうち残部の表面よりも，非接触熱源からの熱の反射率が高い面とされるものである。
【００１１】
このようにすると，非接触熱源から蓄熱部材の方角を見たときに対面しているものが，熱供給調整部材の状態により異なることとなる。熱供給状態では，揺動部の第１面と，蓄熱部材のうち基部に覆われない残部とが非接触熱源に対面する。これらは，熱の反射率が低い，すなわち吸収率が高い面である。このためこれらの面により熱が吸収され，熱伝導により蓄熱部材に熱が供給される。一方，遮熱状態では，基部の表面と，揺動部の第２面とが非接触熱源に対面する。これらは，熱の反射率が高い面である。このためこれらの面により熱が反射されるので，蓄熱部材に熱があまり供給されない。
【００１２】
また，基部と揺動部とを有する熱供給調整部材の場合の揺動部は，逆に，遮熱状態で基部上に重なり，蓄熱部材のうち基部に覆われない残部を覆わず，第１面を非接触熱源に向けて配置され，熱供給状態で基部上に重ならず，蓄熱部材のうち残部を覆い，第２面を非接触熱源に向けて配置されるものとしてもよい。その場合には，基部の表面および揺動部の第２面が，揺動部の第１面および蓄熱部材のうち残部の表面よりも，非接触熱源からの熱の吸収率が高い面とされる。
【００１３】
このようにしても，非接触熱源から蓄熱部材の方角を見て，熱供給状態では熱の吸収率が高い面が対面し，遮熱状態では熱の反射率が高い面が対面することとなる。これにより，前記と同様の効果が得られる。
【００１４】
あるいは，熱供給調整部材を，前述の移動するものや揺動部を有するものとする替わりに，熱供給調整部材に電気信号を印加する電気信号印加部を有することにより，印加される電気信号の変化により，非接触熱源から蓄熱部材へ供給される熱の透過率が変化するものとすることができる。この透過率の変化により，熱供給状態と遮熱状態とを実現できるからである。
【００１５】
より具体的には，熱供給調整部材を，熱供給状態では，非接触熱源から蓄熱部材へ供給される熱の透過率が高く反射率が低く，遮熱状態では，非接触熱源から蓄熱部材へ供給される熱の透過率が低く反射率が高いものとする。そして，蓄熱部材の非接触熱源側の面を，遮熱状態での熱供給調整部材の非接触熱源側の面と比較して，非接触熱源から供給される熱の吸収率が高い面とする。
【００１６】
このようにすると，熱供給状態では，非接触熱源からの熱は，熱供給調整部材を透過して蓄熱へ到達し，そこで蓄熱部材に吸収されることとなる。こうして蓄熱部材に熱が供給される。一方，遮熱状態では，熱供給調整部材により反射されてしまい，蓄熱部材に到達しない。このため，蓄熱部材に熱があまり供給されない。
【００１７】
あるいは，熱供給調整部材を，熱供給状態では，非接触熱源から蓄熱部材へ供給される熱の透過率が低く吸収率が高く，遮熱状態では，非接触熱源から蓄熱部材へ供給される熱の透過率が高く吸収率が低いものとしてもよい。この場合には，蓄熱部材の非接触熱源側の面を，熱供給状態での熱供給調整部材の非接触熱源側の面と比較して，非接触熱源から供給される熱の反射率が高い面とするのである。
【００１８】
このようにすると，熱供給状態では，非接触熱源からの熱は，熱供給調整部材で吸収され，熱伝導により蓄熱部材に拡散していくこととなる。こうして蓄熱部材に熱が供給される。一方，遮熱状態では，非接触熱源からの熱が熱供給調整部材を透過して蓄熱部材に到達することとなる。しかし蓄熱部材はその熱を反射してしまい，吸収しない。このため，蓄熱部材に熱があまり供給されない。
【００１９】
ここで，蓄熱部材は，定着ベルトの内面を加圧部材に向けて押し付けるニップ形成部材を兼ねているものであってもよい。一般的に，定着ベルトを用いる定着装置では，定着ベルト内にニップ形成部材が設けられることが多い。このニップ形成部材が蓄熱部材を兼ねることで，構造の複雑化や部品点数の増加を抑えることができる。
【００２０】
あるいは，ニップ形成部材を，蓄熱部材とは別に有することとしてもよい。その場合には，ニップ形成部材の熱履歴負担はあまり重くないので，ニップ形成部材の熱履歴による劣化が抑制される。
【００２１】
その場合のニップ形成部材の非接触熱源側の面は，熱供給調整部材が熱供給状態にあるときの蓄熱部材の非接触熱源側の面と比較して，非接触熱源から供給される熱の実質的な反射率が高い面であることが望ましい。これにより，ニップ形成部材は，熱供給調整部材が熱供給状態にあるとき，非接触熱源からの熱の大部分を反射することになる。このため，ニップ形成部材自身はあまり加熱されない。
【００２２】
ニップ形成部材を蓄熱部材とは別に有する構成において，熱供給調整部材を，定着ベルトの内部で移動して，非接触熱源から蓄熱部材への熱の供給を遮蔽する程度を変更することにより，熱供給状態と遮熱状態とをとるものとすることができる。すなわち，非接触熱源から見て，蓄熱部材が熱供給調整部材により大きく隠される配置を，遮熱状態とすることができる。一方，非接触熱源から見て，蓄熱部材が熱供給調整部材によりあまり隠されない配置を，熱供給状態とすることができる。
【００２３】
この場合に，熱供給調整部材の非接触熱源側の面は，蓄熱部材の非接触熱源側の面と比較して，非接触熱源から供給される熱の反射率が高い面であることが望ましい。これにより，特に遮熱状態にて，蓄熱部材への直接の熱の供給を，効果的に防止することができる。
【００２４】
本発明の別の一態様である画像形成装置は，トナー画像を形成する画像形成部と，画像形成部で形成されたトナー像を記録用紙に転写する転写部と，転写部を通過した記録用紙上のトナー像をその記録用紙に定着させる，前述のいずれかの定着装置と，熱供給調整部材の状態を制御する熱供給制御部とを有するものである。
【００２５】
この場合の熱供給制御部は，印刷ジョブの枚数があらかじめ定めた基準枚数以上である場合に熱供給調整部材を熱供給状態とし，熱供給調整部材を熱供給状態としない場合には熱供給調整部材を遮熱状態とすることが望ましい。連続印刷の枚数が少ない場合には通常通り遮熱状態でよいが，多枚数の連続印刷の場合には，記録用紙による定着ベルトからの熱の持ち去りの影響が無視できなくなる。このため，そのような場合には熱供給状態に切り替えることが望ましいのである。
【００２６】
熱供給制御部はあるいは，ニップに通される記録用紙の坪量があらかじめ定めた基準坪量以上である場合に熱供給調整部材を熱供給状態とし，熱供給調整部材を熱供給状態としない場合に熱供給調整部材を遮熱状態とするものとしてもよい。記録用紙が薄手の紙である場合には通常通り遮熱状態でよいが，厚紙使用時には，厚紙の記録用紙による定着ベルトからの熱の持ち去りの影響が無視できなくなる。このため，そのような場合には熱供給状態に切り替えることが望ましいのである。
【００２７】
熱供給制御部はさらには，通紙速度，環境要因の少なくとも一方が，あらかじめ定めた，単位時間当たりの定着ベルトから記録用紙への奪熱が多い条件に当てはまる場合に熱供給調整部材を熱供給状態とし，熱供給調整部材を熱供給状態としない場合に熱供給調整部材を遮熱状態とするものであってもよい。通紙速度が速い場合や環境要因が特殊な状況にある場合にも，記録用紙による定着ベルトからの熱の持ち去りの影響が無視できないからである。
【発明の効果】
【００２８】
本構成によれば，熱容量が小さく，記録用紙を過熱させることなく，また定着ベルトに対する部材の接触，離間の切り替えを行うことなく，かつ必要熱量が多い状況に問題なく対応できるようにした定着装置，およびそれを搭載した画像形成装置が提供されている。
【図面の簡単な説明】
【００２９】
【図１】定着装置における定着温度の経時変化の例を示すグラフである。
【図２】実施の形態に係る画像形成装置の断面図である。
【図３】実施の形態に係る画像形成装置の定着装置の断面図である。
【図４】押圧パッドの断面図である。
【図５】熱供給調整部材への電圧印加の回路図である。
【図６】定着ベルト内の各要素の配置状況を示す透視斜視図である。
【図７】支持部材（第１の形態）を示す部分斜視図である。
【図８】調光部材（第１の形態）を示す部分斜視図である。
【図９】支持部材に透明状態の調光部材（第１の形態）を重ねた状態を示す斜視図である。
【図１０】支持部材に反射状態の調光部材を重ねた状態を示す斜視図である。
【図１１】定着ベルト内での熱の供給状況（遮熱状態）を説明する断面図である。
【図１２】定着ベルト内での熱の供給状況（熱供給状態）を説明する断面図である。
【図１３】実施の形態に係る画像形成装置における定着装置の制御を説明するフローチャート（その１）である。
【図１４】実施の形態に係る画像形成装置における定着装置の制御を説明するフローチャート（その２）である。
【図１５】実施の形態に係る画像形成装置における定着装置の制御を説明するフローチャート（その３）である。
【図１６】実施の形態に係る画像形成装置における定着装置の制御を説明するフローチャート（その４）である。
【図１７】支持部材（第２の形態）を示す部分斜視図である。
【図１８】調光部材（第２の形態）を示す部分斜視図である。
【図１９】支持部材に黒色状態の調光部材を重ねた状態を示す斜視図である。
【図２０】支持部材に透明状態の調光部材（第２の形態）を重ねた状態を示す斜視図である。
【図２１】機械的可動部を有する熱供給調整部材を示す斜視図である。
【図２２】支持部材に閉じ状態の熱供給調整部材（第３の形態）を重ねた状態を示す斜視図である。
【図２３】支持部材に開き状態の熱供給調整部材（第３の形態）を重ねた状態を示す斜視図である。
【図２４】支持部材に開き状態の熱供給調整部材（第４の形態）を重ねた状態を示す斜視図である。
【図２５】支持部材に閉じ状態の熱供給調整部材（第４の形態）を重ねた状態を示す斜視図である。
【図２６】第５の形態に係る定着装置（遮熱状態）の断面図である。
【図２７】第５の形態に係る定着装置（熱供給状態）の断面図である。
【図２８】第６の形態に係る定着装置（遮熱状態）の断面図である。
【図２９】第６の形態に係る定着装置（熱供給状態）の断面図である。
【発明を実施するための形態】
【００３０】
［第１の形態］
以下，本発明を実施のために具体化した形態について，添付図面を参照しつつ詳細に説明する。本発明の第１の形態は，図２に示す画像形成装置１に本発明を適用したものである。図２の画像形成装置１は概略，画像形成部２でトナー像を印刷用紙に転写するとともに，そのトナー像の転写を受けた印刷用紙を定着装置３で定着して排紙トレイ４上に排出するように構成されている。印刷用紙は，画像形成装置１内の下部に配置された給紙部５から画像形成部２へ供給されるようになっている。画像形成装置１にはまた，全体の制御を行う制御部６が設けられている。
【００３１】
画像形成部２は，中間転写ベルト２１と，４つの画像形成ユニット２２Ｙ，２２Ｍ，２２Ｃ，２２Ｋと，２次転写ローラー２３と，露光器２４とを有している。これにより，画像形成ユニット２２Ｙ，２２Ｍ，２２Ｃ，２２Ｋにより中間転写ベルト２１上にトナー像を形成し，そのトナー像を２次転写ローラー２３で印刷用紙に転写するようになっている。画像形成ユニット２２Ｙは，感光体２２０と，帯電器２２１と，現像器２２２と，１次転写ローラー２２３と，クリーナー２２４とを有している。画像形成ユニット２２Ｍ，２２Ｃ，２２Ｋも，画像形成ユニット２２Ｙと同様の構成とされている。露光器２４は，各感光体２２０における，帯電器２２１と現像器２２２との間の描画位置に，画像データに基づくレーザー光を照射するようになっている。これにより，画像形成ユニット２２Ｙ，２２Ｍ，２２Ｃ，２２Ｋでそれぞれの色のトナー像を形成し，中間転写ベルト２１上に転写するようになっている。
【００３２】
画像形成装置１における本発明としての特徴点は，定着装置３の部分およびその制御内容にある。このため定着装置３の詳細構成について，以下に説明する。画像形成装置１の定着装置３は，図３の断面図に示されるように構成されている。図３に示される定着装置３は，加圧ローラー３１と，定着ベルト３２とを有している。定着装置３における通紙幅（図３の紙面に垂直な方向の幅）は，３２０ｍｍ程度ある。加圧ローラー３１は，芯金３１０とその周囲の弾性層３１１とを有する弾性ローラーである。定着ベルト３２は，フィルム状の部材により形成された周回方向に無端のフープ状の部材である。定着ベルト３２の内面には，つや消し黒色塗装が施されている。
【００３３】
加圧ローラー３１および定着ベルト３２の具体的な構成の一例を挙げる。
加圧ローラー３１の芯金３１０：アルミ製φ１８ｍｍの丸棒
加圧ローラー３１の弾性層３１１：厚さ３．５ｍｍのシリコンゴム層＋厚さ３０μｍのＰＦＡ（フッ素樹脂の一種）チューブの表面離型層
定着ベルト３２：厚さ３５μｍの電鋳ニッケル層＋その外面側の厚さ２００μｍのシリコンゴム層＋厚さ２０μｍのＰＦＡチューブの表面離型層
【００３４】
さらに，定着ベルト３２の内部には，押圧パッド３２０，支持部材３２１，ヒーター３２２が配置されている。これらはいずれも，定着ベルト３２の回転とともに回転するものではなく，固定して配置されている構成要素である。
【００３５】
押圧パッド３２０は，加圧ローラー３１とともに定着ベルト３２を挟み付け，加圧ローラー３１と定着ベルト３２とが接触するニップ部３３を形成する部材である。押圧パッド３２０と加圧ローラー３１とは，互いに押し付け合う状態とされている。このため，押圧
パッド３２０は実質的に，定着ベルト３２を加圧ローラー３１に押し付けていると言える。押し付け荷重は５０〜５００Ｎであり，ニップ部のニップ幅は約８ｍｍである。押圧パッド３２０の表面には，摺動層３２３が設けられている（図４参照）。かかる押圧パッド３２０は，支持部材３２１に支持されている。支持部材３２１は，押圧パッド３２０を支持する部材であり，ヒーター３２２と押圧パッド３２０との間に位置している。支持部材３２１は，断面がほぼ「Ｗ」字状をなすように屈曲成型された平板状部材である。
【００３６】
押圧パッド３２０，摺動層３２３，および支持部材３２１の具体的な構成の一例を挙げる。
押圧パッド３２０：ＬＣＰ（液晶ポリマー）
摺動層３２３：フッ素樹脂繊維
支持部材３２１：厚さ２ｍｍの鋼板
【００３７】
支持部材３２１におけるヒーター３２２側の面は，全面，調光部材３２４で覆われている。調光部材３２４には，図５に示すように，電圧印加部３２５が接続されている。電圧印加部３２５は，制御部６による制御を受けるようになっている。これにより，調光部材３２４への電圧印加のオンオフ切り替えができるようになっている。調光部材３２４の詳細については後述する。
【００３８】
ヒーター３２２は，定着ベルト３２の内部に設けられたハロゲンヒータである。ヒーター３２２は，定着ベルト３２，支持部材３２１，調光部材３２４のいずれからも非接触な位置に設けられている。もちろん，押圧パッド３２０およびその表面の摺動層３２３からも非接触である。なおヒーター３２２の位置は，必ずしも定着ベルト３２の中心と一致している必要はない。ヒーター３２２には，３本のハロゲンランプ３２６，３２７，３２８が設けられている。図６に示すようにハロゲンランプ３２６，３２７，３２８は，長さが異なっており，複数水準の用紙サイズに対応できるようになっている。ただし，ハロゲンランプ３２６，３２７，３２８の使い分けは，本願発明としての特徴点ではないので，以下の説明では基本的に無視することとする。
【００３９】
図３に戻って，ヒーター３２２の周囲は全方位にわたって定着ベルト３２に囲まれている。無端状の定着ベルト３２の内部にヒーター３２２が配置されているのだから当然である。ただし，図３中右側の加圧ローラー３１がある側においては，ヒーター３２２と定着ベルト３２の内面との間に支持部材３２１が存在している。この，支持部材３２１が占めている範囲内では，ヒーター３２２の赤外線が直接に定着ベルト３２の内面に照射されることはない。しかしそれ以外の範囲では，定着ベルト３２の内面が，支持部材３２１に遮られることなくヒーター３２２と対面している。このため，支持部材３２１が存在する範囲以外の範囲においては，ヒーター３２２の赤外線が直接に定着ベルト３２の内面に照射されることとなる。
【００４０】
また，定着ベルト３２の外部には，サーモパイル３４が設けられている。サーモパイル３４は，定着ベルト３２の幅方向の中央付近に配置されており，温度に応じた電圧を出力するものである。図５に示したように，サーモパイル３４の出力信号は制御部６に入力されるようになっている。これにより，サーモパイル３４の検知温度に応じた定着装置３の制御がなされるようになっている。
【００４１】
支持部材３２１および調光部材３２４についてさらに説明する。単独での支持部材３２１を図７に示す。平板状部材を屈曲成型してなる支持部材３２１は，中央部７０，端部７１，７２，接続部７３，７４を有している。中央部７０と接続部７３，７４とで，図７中の裏面側（ヒーター３２２から見て裏側）に凹状をなしており，この凹状部に前述の押圧パッド３２０が保持される。一方，端部７１と接続部７３とで，図７中のおもて面側（ヒーター３２２側）に凹状をなしている。端部７２と接続部７４とでも同様である。また，支持部材３２１におけるヒーター３２２側の面には，全面，つや消し黒色塗装が施されている。この面を以下，支持部材３２１の内面という。
【００４２】
単独での調光部材３２４を図８に示す。調光部材３２４も平板状の部材を屈曲させた部材であり，中央部８０と，端部８１，８２とを有している。中央部８０と，端部８１と，端部８２との全体で，図８中のおもて面側（ヒーター３２２側）にやや凹状をなしている。中央部８０は，支持部材３２１の中央部７０の上に重ね合わせられる部分である。端部８１は，支持部材３２１の端部７１および接続部７３の上に，やや間隔を置いて重ね合わせられる部分である。端部８２は，支持部材３２１の端部７２および接続部７４の上に，やや間隔を置いて重ね合わせられる部分である。つまり，実際の支持部材３２１におけるヒーター３２２側の面は前述のように，全面，調光部材３２４で覆われることとなる。
【００４３】
調光部材３２４は，次の２通りの状態を切り替えることができる部材である。
透明状態：光（ヒーター３２２からの赤外線を含むものとする，以下同じ）を透過させる状態。光の透過率は高く反射率は低い。
反射状態：光を反射する状態。光の透過率は低く反射率は高い。
このような部材としては，独立行政法人産業技術総合研究所が開発した「調光ミラーシート」が挙げられる（「産総研  調光ミラー」でウェブ検索されたい）。この部材を用いた調光部材３２４は，電圧印加部３２５からの電圧印加のオンオフにより，透明状態と反射状態とを切り替えることができる。電圧印加オン時とオフ時とのいずれを透明状態としいずれを反射状態とするかは，周辺回路の組み方で適宜選択できる。なお，反射状態での反射面は，ヒーター３２２側の面である。
【００４４】
支持部材３２１と調光部材３２４とを重ね合わせた状態の斜視図を図９，図１０に示す。図９は，調光部材３２４が透明状態にある場合を示している。一方図１０は，調光部材３２４が反射状態にある場合を示している。まず図９について説明する。図９では，支持部材３２１と調光部材３２４とを，長手方向（定着ベルト３２の軸方向に相当）に部分的にずらして重ね合わせた状態を示している。すなわち図９では，支持部材３２１が範囲Ａおよび範囲Ｂにわたって存在しており，調光部材３２４が範囲Ｂおよび範囲Ｃにわたって存在している。これは理解の容易のために描いたものであり，実際の定着装置３では，支持部材３２１と調光部材３２４とは完全に重ね合わせられている。
【００４５】
図９においては，範囲Ａにて，支持部材３２１の内面が，調光部材３２４に覆われることなく露出して見えている。この内面は前述の通りつや消し黒塗り面である。範囲Ｂでの支持部材３２１は，調光部材３２４に覆われているが，ヒーター３２２の位置から見れば実質的には同じくつや消し黒塗り面である。調光部材３２４が透明状態にあるからである。実際の定着装置３では前述のように，支持部材３２１の内面全体が，図９において範囲Ｂとして示される状態にある。
【００４６】
図１０においても，範囲Ａ，Ｂ，Ｃの意味は図９の場合と同じである。図１０における範囲Ｂでは，支持部材３２１の内面そのものはむろんつや消し黒塗り面であるが，ヒーター３２２の位置からはそのようには見えない。反射状態にある調光部材３２４が支持部材３２１を覆っているからである。この状態での支持部材３２１は，ヒーター３２２の位置からはあたかも全面が鏡面であるかのように見えるのである。
【００４７】
よって，図９と図１０とで範囲Ｂ同士を比較すると，次のようなことが言える。
（１）ヒーター３２２から見て，支持部材３２１による熱の実質的な吸収率は，図９の場合の方が図１０の場合より高い。
（２）逆に，支持部材３２１による熱の実質的な反射率は，図１０の場合の方が図９の場合より高い。
【００４８】
また，図１０の範囲Ｂと定着ベルト３２の内面とを比較すると，次のようなことが言える。定着ベルト３２の内面も支持部材３２１の内面と同じく，つや消し黒塗り面だからである。
（３）ヒーター３２２から見て，定着ベルト３２の内面による熱の吸収率は，図１０の範囲Ｂの実質的な吸収率より高い。
（４）逆に，図１０の範囲Ｂによる熱の実質的な反射率は，定着ベルト３２の内面による反射率より高い。
【００４９】
上記のように構成された本形態の定着装置３は，画像形成装置１での画像形成の際には，図３中の加圧ローラー３１が図中時計回りに回転し，この回転に従動して定着ベルト３２が図中反時計回りに回転する。また，ヒーター３２２に通電され，定着ベルト３２が加熱される。さらに，定着ベルト３２を介して加圧ローラー３１も間接的に加熱される。その状態で，画像形成部２でトナー像の転写を受けた印刷用紙が，図３中下側からニップ部３３に進入する。これにより定着がなされる。定着済みの印刷用紙は排紙トレイ４上に排出される。
【００５０】
ここで，前述の調光部材３２４の状態により，定着ベルト３２内での熱の供給経路に違いがある。この違いについて，図１１と図１２とにより説明する。図１１の状態を遮熱状態といい，図１２の状態を熱供給状態という。後の説明から分かるようにこの言い方は，ヒーター３２２から支持部材３２１および押圧パッド３２０への直接の熱供給が，行われるか遮断されているかに着目した言い方である。
【００５１】
調光部材３２４が反射状態にあるとき（図１０）には，図１１に示すように，ヒーター３２２から図中右向きに照射された熱は，調光部材３２４で反射されてしまう。このため，ヒーター３２２から直接に加熱を受けるのは，調光部材３２４がない範囲内における定着ベルト３２の内面だけである。支持部材３２１や押圧パッド３２０は，定着ベルト３２を介して間接的に加熱されるだけである。このため図１１の状態では，直接的に加熱される対象物が少ない分，定着ベルト３２の温度上昇が素早い。したがって，画像形成装置１の電源が投入されてから画像形成出力が可能になるまでの所要時間（いわゆるファーストコピー時間）が短い。よって，定着装置３における図１１の状態を，通常用いる状態とする。
【００５２】
一方，調光部材３２４が透明状態にあるとき（図９）には，図１２に示すように，定着ベルト３２の内面ばかりでなく支持部材３２１も，ヒーター３２２から直接に熱の供給を受けることとなる。このため，支持部材３２１およびそこに保持されている押圧パッド３２０が，定着ベルト３２を介さず直接に加熱される。よって，支持部材３２１および押圧パッド３２０に相当量の熱が蓄えられることとなる。このため図１２の状態では，支持部材３２１および押圧パッド３２０（特に押圧パッド３２０）に蓄熱されている分，印刷用紙による熱の持ち去りによる影響を受けにくい。よって図１２の状態は，厚紙印刷時や多数枚数印刷時などに適した状態である。つまり本形態では，支持部材３２１および押圧パッド３２０（特に押圧パッド３２０）が蓄熱部材として機能している。なお，反射状態と透明状態とのいずれの場合でも，ヒーター３２２から定着ベルト３２の裏面への直接の照射が，調光部材３２４により遮られることはない。
【００５３】
画像形成装置１では，通常，図１１（図１０）の状態を用いつつ，画像形成の状況に応じて調光部材３２４の状態を切り替えて図１２（図９）の状態を用いる。つまり調光部材３２４は，熱供給を調整する部材である。その制御フローを説明する。制御フローには，印刷ジョブの枚数による場合のもの，使用する印刷用紙の種類による場合のもの等，いくつかの種類があるが，いずれも大筋は同様である。
【００５４】
図１３は，印刷ジョブの枚数により切り替えを行う場合のフローチャートである。印刷ジョブによる印刷開始信号があると，図１３のフローが開始される。図１３のフローではまず，印刷ジョブの内容を確認し，印刷枚数が３０枚以上であるか否かを判別する（Ｓ１）。３０枚以上でなかった場合には（Ｓ１：Ｎｏ），そのまま当フローを終了して印刷を開始する。すなわちこの場合には，定着装置３を，通常用いる状態である図１１の状態のままにして印刷がなされる。
【００５５】
Ｓ１の判別で印刷枚数が３０枚以上であった場合には（Ｓ１：Ｙｅｓ），Ｓ２へ進む。すなわち，電圧印加部３２５により調光部材３２４の状態を切り替える（Ｓ２）。つまり，調光部材３２４を図１２の状態とする。これにより，ヒーター３２２から見た支持部材３２１および調光部材３２４が，図１０の範囲Ｂの鏡面状態から図９の範囲Ｂの黒色状態に変化する。その状態で当フローを終了して印刷を開始する。すなわちこの場合には，定着装置３を，通常用いる状態ではない図１２の状態にして印刷がなされる。多数枚数印刷であると判別されたからである。むろん，判別の閾値は，「３０枚以上」に限定される訳ではない。
【００５６】
図１４は，印刷用紙の坪量（面密度）により切り替えを行う場合のフローチャートである。図１４のフローではまず，使用する印刷用紙の種類を確認し，その坪量が２００ｇ／ｍ2未満であるか否かを判別する（Ｓ１１）。２００ｇ／ｍ2未満であった場合には（Ｓ１１：Ｙｅｓ），そのまま当フローを終了して印刷を開始する。すなわちこの場合には，通常通り図１１の状態での印刷がなされる。Ｓ１１の判別で坪量が閾値未満でなかった場合には（Ｓ１１：Ｎｏ），Ｓ１２へ進む。すなわち，調光部材３２４の状態を切り替えて，図１２の黒色化状態とする（Ｓ１２）。その状態で当フローを終了して印刷を開始する。したがってこの場合には，通常と異なる図１２の状態で印刷がなされる。厚紙に相当する紙種の印刷用紙が使用されると判別されたからである。むろん，判別の閾値は上記の値に限定されない。
【００５７】
ここで上記Ｓ１１の判別においては，使用する印刷用紙の坪量をユーザーに入力させて，その入力された値により判別すればよい。坪量がユーザーにも不明な場合もあるが，その場合にＹｅｓ，Ｎｏどちらとして取り扱うかについては，あらかじめ定めておけばよい。また，給紙経路途上に坪量センサを設けてその検出値により自動判別することとしてもよい。
【００５８】
図１５は，使用する印刷用紙の紙種，すなわち厚紙であるかそうでない普通紙であるかにより切り替えを行う場合のフローチャートである。図１５のフローではまず，使用する印刷用紙の種類を確認し，厚紙か普通紙かを判別する（Ｓ２１）。普通紙であると判別された場合には，そのまま当フローを終了して印刷を開始する。すなわちこの場合には，通常通り図１１の状態での印刷がなされる。Ｓ２１の判別結果が厚紙であった場合には，Ｓ２２へ進む。すなわち，調光部材３２４の状態を切り替えて，図１２の黒色化状態とする（Ｓ２２）。その状態で当フローを終了して印刷を開始する。したがってこの場合には，通常と異なる図１２の状態で印刷がなされる。厚紙が印刷用紙として使用されると判別されたからである。
【００５９】
ここで上記Ｓ２１の判別においては，使用する印刷用紙の種類をユーザーに入力させて，その入力結果により判別すればよい。あるいは，給紙部５に複数の用紙カセットが備えられている場合には，ユーザーによりどの用紙カセットが指定されたかによって判別することができる。すなわち，指定された用紙カセットが，厚紙専用のカセットとしてあらかじめ登録されているものである否か，により判別するのである。さらには，印刷ジョブの内容中に使用すべき紙種の指定がある場合には，その指定の内容により判別することもできる。
【００６０】
図１６は，印刷時の用紙スピードにより切り替えを行う場合のフローチャートである。図１６のフローではまず，印刷ジョブの内容を確認し，指定されている用紙スピードが全速であるか低速であるかを判別する（Ｓ３１）。全速とは，通常の画像形成に用いられる，生産性優先の比較的速い用紙スピードである。低速とは，高精細画像などの場合に用いられる，全速よりも遅い用紙スピードである。全速が指定されている場合には，そのまま当フローを終了して印刷を開始する。すなわちこの場合には，通常通り図１１の状態での印刷がなされる。Ｓ３１の判別結果が低速であった場合には，Ｓ３２へ進む。すなわち，調光部材３２４の状態を切り替えて，図１２の黒色化状態とする（Ｓ３２）。その状態で当フローを終了して印刷を開始する。したがってこの場合には，通常と異なる図１２の状態で印刷がなされる。低速では，印刷用紙１枚当たりの定着装置３での滞在時間が長く，そのため印刷用紙による熱の持ち去り量が多いからである。
【００６１】
以上のようにして，本形態の画像形成装置１では，通常時は基本的に図１１の遮熱状態で画像形成を行いつつ，必要に応じて図１２の熱供給状態を用いる。このため，ヒーター３２２の出力パワー自体は上げることなく，厚紙時等の熱負荷が大きい状況においても定着不良を起こさないようにしている。また，ヒーター３２２の出力パワー自体は上げていないことから，定着済みの印刷用紙における過大なカールやタッキングとも無縁である。
【００６２】
なお，図１３〜図１６のフローについては，いずれか１つだけを選択して実行しなければならない，ということではない。２つ以上のフローを併用してもよい。その場合，いずれか１つのフローにて黒色化すべしとの判別があった場合には黒色化をすべきである。言い替えると，黒色化しないで画像形成を行うのは，実行したすべてのフローにて黒色化不要との判別がなされた場合だけ，とすればよい。
【００６３】
また，図１３〜図１６のフローチャート判別では黒色化不要であった場合であっても，サーモパイル３４で温度低下の兆しが検知された場合には黒色化を行うこととしてもよい。環境要因等によっては，思いがけず印刷用紙による熱の持ち去りが大きいこともあるからである。例えば，気温が低くて湿度が高い場合などである。あるいは，環境センサを機内に備えるとともに，その検出値に基づき黒色化の判別をするフローチャートを実行することとしてもよい。その場合には，上記に該当する環境要因をあらかじめ定めておき，環境センサの検出値が，当該環境要因に合致するか否かを判別すればよい。以上が第１の形態の説明である。
【００６４】
［第２の形態］
次に，本発明の第２の形態について説明する。第２の形態は，その大部分を前述の第１の形態と共有するものである。このため，第１の形態と共通する部分については説明を省略し，相違点に絞り込んで説明することとする。第２の形態における，第１の形態との相違点は，支持部材および調光部材にある。
【００６５】
第２の形態における支持部材３５１を，図１７に示す。図１７に示す支持部材３５１は，図７に示した第１の形態の支持部材３２１と，形状としては同じものである。支持部材３５１の支持部材３２１に対する相違点は，ヒーター３２２側の面の表面仕上げにある。すなわち，第１の形態の支持部材３２１の当該面がつや消し黒色塗装面であったのに対し，本形態の支持部材３５１の当該面は，鏡面仕上げされた面である。
【００６６】
第２の形態における調光部材３５４を，図１８に示す。図１８に示す調光部材３５４は，図８に示した第１の形態の調光部材３２４と，形状としては同じものである。調光部材３５４の調光部材３２４に対する相違点は，使用している材質にある。すなわち，第１の形態の調光部材３２４が，透明状態と反射状態とを切り替える調光ミラーシートを用いたものであったのに対し，本形態の調光部材３５４は，「調光ガラス」を用いたものである。
【００６７】
調光ガラスは，次の２通りの状態を切り替えることができる部材である。
透明状態：光を透過させる状態。光の透過率は高く吸収率は低い。
不透明状態：光を吸収する状態。光の透過率は低く吸収率は高い。
このような部材としては例えば，日本板硝子株式会社が提供する「ウム」（登録商標）が挙げられる。むろん，他社による相当品でもよい。発色原理についても，液晶を用いたもの，三酸化タングステンを用いたものなど何でもよい。
【００６８】
調光部材３５４における上記両状態の切り替えも，第１の形態の場合と同じく，電圧印加部３２５からの電圧印加のオンオフによりなされる。電圧印加オン時とオフ時とのいずれを透明状態としいずれを不透明状態とするかは，周辺回路の組み方で適宜選択できる。以下の説明では，上記の不透明状態を「黒色状態」という。図１８に示した調光部材３５４は，黒色状態でのものである。
【００６９】
支持部材３５１と調光部材３５４とを重ね合わせた状態の斜視図を図１９，図２０に示す。図１９は，調光部材３５４が黒色状態にある場合を示している。一方図２０は，調光部材３５４が透明状態にある場合を示している。図１９，図２０における範囲Ａ，Ｂ，Ｃの意味は，図９，図１０の場合と同じである。
【００７０】
図１９においては，範囲Ａにて，支持部材３５１の内面が，調光部材３５４に覆われることなく露出して見えている。この内面は前述の通り鏡面である。範囲Ｂでは，支持部材３５１の内面そのものはむろん鏡面であるが，ヒーター３２２の位置からはそのようには見えない。黒色状態にある調光部材３５４が支持部材３５１を覆っているからである。この状態での支持部材３５１は，ヒーター３２２の位置からはあたかも全面が黒色面であるかのように見えるのである。図２０における範囲Ｂでの支持部材３５１は，調光部材３５４に覆われているが，ヒーター３２２の位置から見れば実質的には，範囲Ａと同じく鏡面である。調光部材３５４が透明状態にあるからである。よってこの状態での支持部材３５１は，ヒーター３２２の位置からはあたかも全面が鏡面であるかのように見えるのである。
【００７１】
よって，図１９と図２０とで範囲Ｂ同士を比較すると，次のようなことが言える。
（５）ヒーター３２２から見て，支持部材３５１による熱の実質的な吸収率は，図１９の場合の方が図２０の場合より高い。
（６）逆に，支持部材３５１による熱の実質的な反射率は，図２０の場合の方が図１９の場合より高い。
【００７２】
また，図２０の範囲Ｂと定着ベルト３２の内面とを比較すると，次のようなことが言える。定着ベルト３２の内面も黒色状態の調光部材３５４の表面と同じく，黒色の面だからである。
（７）ヒーター３２２から見て，定着ベルト３２の内面による熱の吸収率は，図２０の範囲Ｂの実質的な吸収率より高い。
（８）逆に，図２０の範囲Ｂによる熱の実質的な反射率は，定着ベルト３２の内面による反射率より高い。
【００７３】
したがって，図２０に示す透明状態にて，第１の形態の図１１で説明した遮熱状態の熱供給経路が実現する。ヒーター３２２からの熱が支持部材３５１の鏡面により反射されるからである。一方，図１９に示す黒色状態で，第１の形態の図１２で説明した熱供給状態の熱供給経路が実現する。ヒーター３２２からの熱が，黒色状態の調光部材３５４により一旦吸収され，そして熱伝導により支持部材３５１および押圧パッド３２０に供給されるからである。このため本形態の画像形成装置では，通常，図２０の状態を用いつつ，画像形成の状況に応じて調光部材３５４の状態を切り替えて図１９の状態を用いる。その制御フローは，第１の形態の図１３〜図１６等に示したものと同じでよい。こうして本形態の画像形成装置も，第１の形態の場合と同様の効果を奏する。以上が第２の形態の説明である。
【００７４】
［第３の形態］
続いて，本発明の第３の形態について説明する。第３の形態も，その大部分を前述の第１の形態と共有するものである。このため，第１の形態と共通する部分については説明を省略し，相違点に絞り込んで説明することとする。第３の形態における，第１の形態との相違点は，熱供給調整部材にある。すなわち本形態では，第１の形態や第２の形態の場合のような電気化学作用により状態が遷移する調光部材の替わりに，機械的可動部分を有しその可動部分の位置により２通りの状態をとる熱供給調整部材を用いる。
【００７５】
図２１に，本形態における熱供給調整部材３６４の概要を示す。図２１の熱供給調整部材３６４は，基部８３と，揺動部８４，８５とを有している。基部８３は，本形態で使用する支持部材３２１（第１の形態で用いたものと同じもの）の中央部７０の上に固定的に重ね合わせられる部分である。揺動部８４，８５は，基部８３の両側辺に対して揺動可能に設けられた可動部分であり，実線で示す閉じ状態と，二点鎖線で示す開き状態との２通りの状態をとる。ここで揺動とは，揺動部８４，８５の一箇所（図示のものでは一辺）が基部８３に対して回転可能に固定されており，その回転軸を中心にヒンジ状に動くことをいう。揺動部８４，８５の揺動動作自体は，モーターやソレノイド，リターンスプリングなどの適切な公知技術によりなされればよい。揺動部８４，８５は，揃って閉じ状態となり，また揃って開き状態となるように，制御部６の制御に基づき操作される。
【００７６】
熱供給調整部材３６４について，図２２，図２３によりさらに説明する。図２２，図２３における範囲Ａ，Ｂ，Ｃの意味は，図９等の場合と同じである。閉じ状態での揺動部８４，８５は，基部８３の上に重ね合わせられて，基部８３の全面を覆う。このとき図２２に示すように，支持部材３２１の端部７１，７２，接続部７３，７４の内面は，ヒーター３２２に対して露出する。また，揺動部８４，８５における閉じ状態でヒーター３２２に対面している面（図２２で見えている面）は，支持部材３２１の内面と同じく，全面，つや消し黒色塗装面である。
【００７７】
一方，揺動部８４，８５が開き状態にあるときには，図２３に示すように，基部８３の全面がヒーター３２２に対して露出する。また，揺動部８４が支持部材３２１の端部７１および接続部７３の上に，揺動部８５が端部７２および接続部７４の上に，それぞれやや間隔を置いて重ね合わせられる。これにより開き状態では，支持部材３２１の端部７１，７２，接続部７３，７４は揺動部８４，８５により覆われる。つまり開き状態では，支持部材３２１は全面，熱供給調整部材３６４により覆われる。
【００７８】
熱供給調整部材３６４における開き状態でヒーター３２２に対面している面（図２３で見えている面）は，鏡面仕上げ面である。具体的には，鏡面となっているのは，基部８３の表面，および，揺動部８４，８５におけるつや消し黒塗り面の裏側の面である。なお，基部８３の裏面については，何色でもかまわない。また，支持部材３２１の内面のうち中央部７０の部分（より正確に言えば基部８３により隠れる部分）は，本形態においては必ずしも黒色面である必要はない。
【００７９】
よって本形態では，図２２の閉じ状態が，第１の形態における図９の透明状態と同様の状態である。このためこの状態で，図１２の熱供給状態の熱供給経路が実現する。ヒーター３２２からの熱が，つや消し黒塗り面である揺動部８４，８５，支持部材３２１の端部７１，７２，接続部７３，７４に吸収され，熱伝導により，定着ベルト３２を介さず直接に，支持部材３２１および押圧パッド３２０に供給されるからである。一方，図２３の開き状態が，図１０の反射状態と同様の状態である。この状態で，図１１の遮熱状態の熱供給経路が実現する。ヒーター３２２からの熱が，熱供給調整部材３６４の鏡面により反射されるからである。
【００８０】
このため本形態の画像形成装置では，通常，図２３の開き状態を用いつつ，画像形成の状況に応じて熱供給調整部材３６４を閉じ状態に切り替えて図２２の状態を用いる。その制御フローは，第１の形態の図１３〜図１６等に示したものと同じでよい。こうして本形態の画像形成装置も，第１の形態や第２の形態の場合と同様の効果を奏する。以上が第３の形態の説明である。
【００８１】
［第４の形態］
次に，本発明の第４の形態について説明する。第４の形態も，その大部分を前述の第１の形態と共有するものである。このため，第１の形態と共通する部分については説明を省略し，相違点に絞り込んで説明することとする。第４の形態では，支持部材として，第２の形態で使用した支持部材３５１と同じものを使用する。また，熱供給調整部材として，第３の形態で使用した熱供給調整部材３６４と同じく揺動部を有するものを使用する。
【００８２】
本形態で使用する熱供給調整部材３７４は，第３の形態で使用した熱供給調整部材３６４に対して，つや消し黒塗り面と鏡面とを入れ替えたものである。すなわち，図２４に開き状態で示すように，開き状態でヒーター３２２に対面している面（基部８６および揺動部８７，８８）は，つや消し黒塗り面である。一方，閉じ状態を図２５に示すように，揺動部８７，８８の裏面は，支持部材３５１の内面と同じく鏡面仕上げ面である。なお，支持部材３５１の内面のうち，基部８６により隠れる部分は，本形態では必ずしも鏡面でなくてもよい。また，熱供給調整部材３７４の基部８６の裏面は，何色でもよい。また，図２４，図２５におけるにおける範囲Ａ，Ｂ，Ｃの意味は，図９等の場合と同じである。
【００８３】
これにより本形態では，図２４の開き状態が，第３の形態における図２２の閉じ状態に相当する。このため図２４の開き状態にて，図１２の熱供給状態の熱供給経路が実現する。ヒーター３２２からの熱が，熱供給調整部材３７４の黒色面に吸収され，熱伝導により，定着ベルト３２を介さず直接に，支持部材３５１および押圧パッド３２０に供給されるからである。一方，図２５の閉じ状態が，第３の形態における図２３の開き状態に相当する。このため図２５の開き状態にて，図１１の遮熱状態の熱供給経路が実現する。ヒーター３２２からの熱が，鏡面である支持部材３５１の内面および揺動部８７，８８の裏面により反射されるからである。
【００８４】
このため本形態の画像形成装置では，通常，図２５の閉じ状態を用いつつ，画像形成の状況に応じて熱供給調整部材３７４を開き状態に切り替えて図２４の状態を用いる。その制御フローは，第１の形態の図１３〜図１６等に示したものと同じでよい。こうして本形態の画像形成装置も，第１の形態〜第３の形態の場合と同様の効果を奏する。以上が第４の形態の説明である。
【００８５】
［第５の形態］
次に，本発明の第５の形態について説明する。第５の形態も，その大部分を前述の第１〜第４の形態と共有するものである。このため，前述の各形態と共通する部分については説明を省略し，相違点に絞り込んで説明する。第５の形態は，前述の各形態の中でも第３の形態に最も近い。
【００８６】
第５の形態における定着装置３の構成を図２６，図２７に示す。本形態は，第３の形態に対して，熱供給調整部材３６４を熱供給調整部材３８４で置き換えたものである。第３の形態の熱供給調整部材３６４が前述のように折り畳み変形するものであったのに対し，本形態の熱供給調整部材３８４は，変形せず，替わりに全体的に移動するものである。熱供給調整部材３８４は，断面形状が円弧状をなすように成形された長尺の板状部材である。熱供給調整部材３８４の内面（ヒーター３２２側の面）は，鏡面仕上げされた面である。
【００８７】
図２６では熱供給調整部材３８４が，ヒーター３２２から支持部材３２１を隠す位置に配置されている。一方図２７では熱供給調整部材３８４が，図２６中における位置から待避して，ヒーター３２２に対して支持部材３２１を露出させる位置に配置されている。つまり図２６と図２７とでは，ヒーター３２２から支持部材３２１への熱の供給が，熱供給調整部材３８４により遮蔽される程度が異なるのである。本形態においては図２６の状態が，第３の形態での図２３の開き状態に相当する遮熱状態である。一方，図２７の状態が，第３の形態での図２２の閉じ状態に相当する熱供給状態である。このため本形態の画像形成装置では，通常，図２６の状態を用いつつ，画像形成の状況に応じて熱供給調整部材３８４を移動させて図２７の状態を用いる。その制御フローは，第１の形態で説明した図１３〜図１６等と同じでよい。こうして本形態の画像形成装置も，第１〜第４の形態の場合と同様の効果を奏する。以上が第５の形態の説明である。
【００８８】
［第６の形態］
最後に，本発明の第６の形態について説明する。第６の形態も，その大部分を前述の第１〜第５の形態と共有するものである。このため，前述の各形態と共通する部分については説明を省略し，相違点に絞り込んで説明する。第６の形態は，前述の各形態の中でも第５の形態に最も近い。
【００８９】
第６の形態における定着装置３の構成を図２８，図２９に示す。本形態は，第５の形態に対して，次の２点を変更したものである。
（ａ）押圧パッド３２０とは別に，蓄熱パッド９０を設けたこと。
（ｂ）支持部材３２１に替えて支持部材３５１を用いていること。
【００９０】
まず（ａ）の相違点について説明する。蓄熱パッド９０は，定着ベルト３２の内面側に固定的に設けられているものであるという点では，押圧パッド３２０と共通する。ただし，押圧パッド３２０が加圧ローラー３１との対向位置に配置されているのに対し，蓄熱パッド９０は，それとは異なる別の位置に配置されている点で異なる。蓄熱パッド９０は，耐熱樹脂で形成されており，その周囲には，フッ素樹脂フィルムまたはフッ素樹脂繊維による摺動層９１が設けられている。摺動層９１におけるヒーター３２２側の面は，黒塗りされている。
【００９１】
次に（ｂ）の相違点について説明する。支持部材３５１とは，第２の形態，第４の形態で用いた，内面が鏡面仕上げされている支持部材のことである。これにより，押圧パッド３２０のヒーター３２２側の面（つまり支持部材３５１の内面）は，蓄熱パッド９０の表面よりも熱の反射率が高い面となっている。
【００９２】
図２８では熱供給調整部材３８４が，ヒーター３２２から蓄熱パッド９０を隠す位置に配置されている。一方図２９では熱供給調整部材３８４が，図２８中における位置から待避して，ヒーター３２２に対して蓄熱パッド９０を露出させる位置に配置されている。なお，図２９においては熱供給調整部材３８４が，ヒーター３２２と支持部材３５１との間の位置に配置されているが，そのこと自体はさほど大きな意味を持たない。前述のように支持部材３５１自体が鏡面であるため，図２８，図２９のいずれの配置でも，押圧パッド３２０があまり加熱されないことに変わりはないからである。ただし，図２９の配置では，定着ベルト３２の内面へのヒーター３２２からの照射が，熱供給調整部材３８４により遮られていないという点では意味がある。
【００９３】
本形態においては図２８の状態が，第５の形態での図２６の状態に相当する遮熱状態である。一方，図２９の状態が，第５の形態での図２７の状態に相当する熱供給状態である。このため本形態の画像形成装置では，通常，図２８の状態を用いつつ，画像形成の状況に応じて熱供給調整部材３８４を移動させて図２９の状態を用いる。その制御フローは，第１の形態の図１３〜図１６等に示したものと同じでよい。こうして本形態の画像形成装置も，第１〜第５の形態の場合と同様の効果を奏する。さらに本形態では，押圧パッド３２０とは別に蓄熱パッド９０を設けることで，押圧パッド３２０の熱履歴負担を軽減している。これにより，押圧パッドの熱による劣化が抑制されている。以上が第６の形態の説明である。
【００９４】
以上詳細に説明したように本実施の形態によれば，電気化学式調光部材または折り畳み変形式熱供給調整部材または移動式熱供給調整部材を，定着ベルト３２内に設けている。これにより，ヒーター３２２による熱で主として定着ベルトのみが加熱され蓄熱部材が加熱されない遮熱状態と，蓄熱部材もヒーター３２２により加熱される熱供給状態との２通りの状態をとるようになっている。そして，通常時は遮熱状態を用いつつ，熱的負荷が大きい状況では熱供給状態を用いることとしている。これにより，ヒーター３２２のパワー自体は上げることなく定着不良の発生を防止し，かつ，過熱による弊害も防いでいる。また，定着ベルト３２に対して接触・離間を反復する部材は特になく，定着ベルト３２の劣化が抑制されている。
【００９５】
なお，本実施の形態は単なる例示にすぎず，本発明を何ら限定するものではない。したがって本発明は当然に，その要旨を逸脱しない範囲内で種々の改良，変形が可能である。例えば，第３の形態および第４の形態において，熱供給調整部材３６４，３７４は，両開き形式のものに限らず，片開き形式のものとすることもできる。また，第５の形態および第６の形態において，熱供給調整部材３８４の移動の様式は，回転移動でも直進移動でもよい。また，全形態において，各部材の具体的な形状や材質は，図示あるいは説明したとおりでなくてもよい。例えば，押圧パッド３２０の素材として，ＬＣＰの他にＰＩ（ポリイミド）やＰＰＳ（ポリフェニレンサルファイド）などが挙げられる。
【符号の説明】
【００９６】
１      画像形成装置
２      画像形成部
２３    ２次転写ローラー
３      定着装置
３１    加圧ローラー
３２    定着ベルト
３２０  押圧パッド
３２１  支持部材
３２２  ヒーター
３２４  調光部材
３２５  電圧印加部
３５１  支持部材
３５４  調光部材
３６４  熱供給調整部材
３７４  熱供給調整部材
３８４  熱供給調整部材
６      制御部
８３    基部
８４    揺動部
８５    揺動部
８６    基部
８７    揺動部
８８    揺動部
９０    蓄熱パッド
【図１】
0005967068.tif 000002
【図２】
0005967068.tif 000003
【図３】
0005967068.tif 000004
【図４】
0005967068.tif 000005
【図５】
0005967068.tif 000006
【図６】
0005967068.tif 000007
【図７】
0005967068.tif 000008
【図８】
0005967068.tif 000009
【図９】
0005967068.tif 000010
【図１０】
0005967068.tif 000011
【図１１】
0005967068.tif 000012
【図１２】
0005967068.tif 000013
【図１３】
0005967068.tif 000014
【図１４】
0005967068.tif 000015
【図１５】
0005967068.tif 000016
【図１６】
0005967068.tif 000017
【図１７】
0005967068.tif 000018
【図１８】
0005967068.tif 000019
【図１９】
0005967068.tif 000020
【図２０】
0005967068.tif 000021
【図２１】
0005967068.tif 000022
【図２２】
0005967068.tif 000023
【図２３】
0005967068.tif 000024
【図２４】
0005967068.tif 000025
【図２５】
0005967068.tif 000026
【図２６】
0005967068.tif 000027
【図２７】
0005967068.tif 000028
【図２８】
0005967068.tif 000029
【図２９】
0005967068.tif 000030